(57)【要約】【課題】卓上面または床面に滞留する汚染空気を効率的に除去できる空気清浄機を得ることを目的とする。【解決手段】本体側吸込口１に設けたフィルター４を介して空気流路５が形成されるように本体３内に設けた送風ファン６と、本体側吸込口１の前面に設けられる前パネル７に開口する前面開口部８と、前パネル７より幅寸法が小さく前面開口部８を覆うように隙間９を介して設けた前カバー１０と、本体３との間に設けた前面吸気口１１および下部吸気口１２とを備え、下部吸気口１２は前カバー１０の下端部付近に開口するとともに、前面吸気口１１より開口面積を大としたことにより、卓上面または床面１７に滞留する汚染空気を効率的に除去できる空気清浄機が得られる。【選択図】図１
2007021353.tif 000002
【特許請求の範囲】
【請求項１】
前面に本体側吸込口を有し、上面に吹出口を設けた本体と、この本体の本体側吸込口に設けたフィルターと、このフィルターを介して空気流路が形成されるように前記本体内に設けた送風ファンと、前記本体側吸込口の前面に設けられる前パネルと、この前パネルに開口する前面開口部と、前記前パネルより幅寸法が小さく、前記前面開口部を覆うように隙間を介して設けた前カバーと、この前カバーと前記本体との間に設けた前面吸気口および下部吸気口とを備え、前記下部吸気口は、前記前カバーの下端部付近に開口するとともに、前記前面吸気口より開口面積を大とした空気清浄機。
【請求項２】
前パネルを、中央が後方に突出した湾曲面で形成した請求項１記載の空気清浄機。
【請求項３】
前カバーを、中央が前方に突出した円弧面で形成した請求項１または２記載の空気清浄機。
【請求項４】
前パネルの横幅寸法を、本体の横幅寸法と略同一寸法に形成し、前記前パネルと前記本体との間に、本体の本体側吸込口に連通する一対の側面側吸気口を設けた請求項１〜３記載の空気清浄機。
【請求項５】
下部吸気口を開閉する開閉手段を設けた請求項１〜４記載の空気清浄機。
【請求項６】
開閉手段を、本体を支持する基台に出没可能な移動板を設け、前記移動板を、前方に出して下部吸気口を開閉する構成とした請求項５記載の空気清浄機。
【請求項７】
前カバーの下部に吸い込み風の風向を可変できる回動ルーバーを設けた請求項１〜４記載の空気清浄機。
【請求項８】
回動ルーバーを、固定手段を介して段階的に角度調整し、仮固定を可能とした請求項７記載の空気清浄機。
【請求項９】
本体の基台に俯仰角度調節手段を設け、前記本体の俯仰角度を調節可能とした請求項１〜８記載の空気清浄機。
【発明の詳細な説明】
【技術分野】
【０００１】
本発明は、室内の空気中に含まれる粉塵や臭気等を捕捉して浄化する空気清浄機に関する。
【背景技術】
【０００２】
従来、この種の空気清浄機の一例として本体の側面から空気を吸い込み浄化する空気清浄機が知られている（例えば、特許文献１参照）。
【０００３】
以下、その空気清浄機について、図１２および図１３を参照しながら説明する。
【０００４】
図に示すように、本体ケース１０１の前面には本体吸込口１０２を、上面には本体吐出口１０３を設け、本体ケース１０１の前面には前カバー１０４を設け、本体吸込口１０２と前カバー１０４との間にはフィルター１０５を収納し、前カバー１０４にはカバー吸込口１０６を形成し、本体ケース１０１の表ケース１０７と前カバー１０４の両側部には側部吸込口１０８を設け構成している。
【特許文献１】特開２００４−１６９４２号公報（［００１１］、図１、図２）
【発明の開示】
【発明が解決しようとする課題】
【０００５】
このような従来の空気清浄機では、本体の前面と側面にしか吸気口がないので、本体下部の床面や卓上面に滞留する汚染空気を効率的に除去することができないという課題があり、床面や卓上面に滞留する汚染空気を効率的に除去することが要求されている。
【０００６】
また、カバー吸込口１０６と側部吸込口１０８の吸気比率や吸気方向を変更できないという課題があり、複数の吸気口がある場合に吸気比率や吸気方向を変更できるようにすることが要求されている。
【０００７】
本発明は、このような従来の課題を解決するものであり、床面や卓上面に滞留する汚染空気を効率的に除去でき、また、複数の吸気口のある場合に、吸気比率や吸気方向を変更できるようにして吸い込み風量を増大できる空気清浄機を提供することを目的としている。
【課題を解決するための手段】
【０００８】
本発明の、空気清浄機は上記目的を達成するために、前面に本体側吸気口を有し、上面に吹出口を設けた本体と、この本体の本体側吸込口に設けたフィルターと、このフィルターを介して空気流路が形成されるように前記本体内に設けた送風ファンと、前記本体側吸込口の前面に設けられる前パネルと、この前パネルに開口する前面開口部と、前記前パネルより幅寸法が小さく、前記前面開口部を覆うように隙間を介して設けた前カバーと、この前カバーと前記本体との間に設けた前面吸気口および下部吸気口とを備え、前記下部吸気口は、前記前カバーの下端付近に開口するとともに、前記前面吸気口より開口面積を大としたものである。
【０００９】
この手段により、床面や卓上面に滞留する汚染空気を効率的に除去できる空気清浄機が得られる。
【００１０】
また、他の手段は、前パネルを、中央が後方に突出した湾曲面で形成したものである。
【００１１】
この手段により、吸い込み効率を高めることができる空気清浄機が得られる。
【００１２】
また、他の手段は、前カバーを、中央が前方に突出した円弧面を形成したものである。
【００１３】
この手段により、前面吸気口の吸い込み効率を高めることができる空気清浄機が得られる。
【００１４】
また、他の手段は、前パネルの横幅寸法を、本体の横幅寸法と略同一寸法に形成し、前記前パネルと前記本体との間に、本体の本体側吸込口に連通する一対の側面側吸気口を設けたものである。
【００１５】
この手段により、汚染空気の吸い込み範囲を拡大することができる空気清浄機が得られる。
【００１６】
また、他の手段は、下部吸気口を開閉する開閉手段を設けたものである。
【００１７】
この手段により、本体前面または本体側面からの吸い込み風量を増大して空気清浄効率を高めることができる空気清浄機が得られる。
【００１８】
また、他の手段は、開閉手段を、本体ケースを支持する基台に出没可能な移動板を設け、前記移動板を、前方に出して下部吸気口を開閉する構成としたものである。
【００１９】
この手段により、吸気範囲を用途に応じて選択することができるという空気清浄機が得られる。
【００２０】
また、他の手段は、前カバーの下部に吸い込み風の風向を変換できる回動ルーバーを設けたものである。
【００２１】
この手段により、汚染空気の吸込み量を増大できるとともに、空気清浄効率を高めることができる空気清浄機が得られる。
【００２２】
また、他の手段は、回動ルーバーを、固定手段を介して段階的に角度調整し、仮固定を可能としたものである。
【００２３】
この手段により、簡単な操作で吸い込み効率を高めることができる空気清浄機が得られる。
【００２４】
また、他の手段は、本体の基台に俯仰角度調節手段を設け、前記本体の俯仰角度を調節可能としたものである。
【００２５】
この手段により、より広範囲で空気清浄機能を発揮することができる空気清浄機が得られる。
【発明の効果】
【００２６】
本発明によれば床面や卓上面に滞留する汚染空気を効率的に除去できるという効果のある空気清浄機を提供できる。
【００２７】
また、吸い込み効率を高めることのできるという効果のある空気清浄機を提供できる。
【００２８】
また、汚染空気の吸い込み範囲を拡大できるという効果のある空気清浄機を提供できる。
【００２９】
また、吸気範囲を用途に応じて選択できるという効果のある空気清浄機を提供できる。
【００３０】
また、広範囲で空気清浄機能を発揮することができるという効果のある空気清浄機を提供できる。
【発明を実施するための最良の形態】
【００３１】
本発明の請求項１記載の発明は、前面に本体側吸込口を有し、上面に吹出口を設けた本体と、この本体の本体側吸込口に設けたフィルターと、このフィルターを介して空気流路が形成されるように前記本体内に設けた送風ファンと、前記本体側吸込口の前面に設けられる前パネルと、この前パネルに開口する前面開口部と、前記前パネルより幅寸法が小さく、前記前面開口部を覆うように隙間を介して設けた前カバーと、この前カバーと前記本体との間に設けた前面吸気口および下部吸気口とを備え、前記下部吸気口は、前記前カバーの下端部付近に開口するとともに、前記前面吸気口より開口面積を大としたものであり、吸い込み風量大なる下部吸込口を本体の下端部付近に開口することで、本体を卓上または床面に設置した際、下部吸気口を中心として、卓上面または床面が水平方向に吸気通路を形成して下部吸気口へのガイドとなるとともに、前パネルおよび前カバーが上方向に吸気範囲を拡大することにより、灰皿に置かれたたばこの煙などを、下部吸気口から大風量で水平方向に効率良く吸い込み、また、下部吸気口で吸引できなかった汚染空気も前面吸気口から吸い込むことができ、汚染源が床面や卓上にある場合に漏れなく吸い込むことができ、空気清浄効率を高めることができるという作用を有する。
【００３２】
また、請求項２の記載の発明は、前パネルを、中央が後方に突出した湾曲面で形成したものであり、前パネルを後方に湾曲させることで、前パネル近傍へ誘引された汚染空気が湾曲形状に沿って進むこととなり、前面吸気口へ流れ込むようにスムーズに吸気することができ、吸い込み効果を高めることができる。また、下部吸気口の開口面積が増えて吸気量をより多くすることができるという作用を有する。
【００３３】
また、請求項３記載の発明は、前カバーを、中央が前方に突出した円弧面で形成したものであり、前カバーの形状を中央が前方に突出した円弧面で形成することで、前カバー近傍へ誘引された汚染空気が円弧面形状に沿うこととなり、前面吸気口へスムーズに流れこむことができ、吸い込み効果を高めることができ、また、下部吸気口の開口面積が増えて吸気量をより多くすることができるという作用を有する。
【００３４】
また、請求項４記載の発明は、前パネルの横幅寸法を、本体の横幅寸法と略同一寸法に形成し、前記前パネルと前記本体との間に、本体の本体側吸込口に連通する一対の側面側吸気口を設けたものであり、前パネルから横方向に逃げる汚染空気を側面側吸気口で吸い込むことができ、また、本体側方にある汚染空気も側面側吸気口から吸い込むことで、吸い込み範囲を拡大することができる。
【００３５】
また、請求項５記載の発明は、下部吸気口を開閉する開閉手段を設けたものであり、主開口部である下部吸気口を開閉手段により閉鎖することで、前面吸気口または側面側吸気口からの吸気量を増加することができ、汚染源が下部吸気口から離れている場合は、本体前面または本体側面からの吸い込み風景を増大して空気清浄効率を高めることができる。
【００３６】
また、請求項６記載の発明は、開閉手段を、本体と支持する基台に出没可能な移動板を設け、前記移動板を、前方に出して下部吸気口を開閉する構成としたものであり、基台に出没可能な移動板を設けて下部吸気口を開閉可能とすることで、本体下部を主な吸気範囲とするか、本体前面および側面を主な吸気範囲とするかを用途に応じて選択して本体前面からの簡単な操作で実現することができるという作用を有する。
【００３７】
また、請求項７記載の発明は、前カバーの下部に吸い込み風の風向を可変できる回動ルーバーを設けたものであり、前カバーの下部に回動ルーバーを設けることで、発生する汚染空気の種類や汚染物質の浮遊の状態に応じて吸い込み角度を調節することができ、汚染空気の吸い込み量を増やし、空気清浄効率を高めることができるという作用を有する。
【００３８】
また、請求項８記載の発明は、回動ルーバーを、固定手段を介して段階的に角度調節し、仮固定を可能としたもであり、段階的に回動角度を調整できることで、使用者の好みや吸い込み効果の高い位置で回動ルーバーを簡単に回動・固定でき、簡単な操作で吸い込み効率を高めることができるという作用を有する。
【００３９】
また、請求項９記載の発明は、本体の基台に俯仰角度調節手段を設け、前記本体の俯仰角度を調節可能したものであり、本体の俯仰角度を変化させることで、俯仰角度が卓上面または床面に対して９０度未満の小なる場合はスポット的な空気浄化が可能となり、また、設置角度が卓上面または床面に対して略９０度より大きい場合は、より広範囲で空気清浄機能を発揮することができるという作用を有する。
【００４０】
以下、本発明の実施の形態について図面を参照しながら説明する。
【００４１】
（実施の形態１）
図１〜図６に示すように、前面に本体側吸込口１を有し、上面に吹出口２を設けた本体３と、この本体３の本体側吸込口１に設けたフィルター４と、このフィルター４を介して空気流路５が形成されるように本体３内に設けた送風ファン６と、本体側吸込口１の前面に設けられる前パネル７と、この前パネル７に開口する前面開口部８と、前パネル７より幅寸法が小さく、前面開口部８を覆うように隙間９を介して設けた前カバー１０と、この前カバー１０と前パネル７を設けた本体３との間に設けた前面吸気口１１および下部吸気口１２とを備え、下部吸気口１２は前カバー１０の下端部付近に開口するとともに、前面吸気口１１より開口面積を大となるように形成する。
【００４２】
また、前パネル７を中央が後方に突出した湾曲面１３で形成し、前カバー１０を中央が前方に突出した円弧面１４で形成し、前パネル７の横幅寸法を本体３の横幅寸法と略同一寸法に形成し、前パネル７と本体３との間に本体３の本体側吸込口１に連通する一対の側面側吸込口１５を設け、本体３は下部に基台１６を設け構成する。
【００４３】
上記構成において、空気清浄機を運転すると送風ファン６が駆動され室内の汚染空気が前面吸気口１１と下部吸気口１２および側面側吸気口１５より吸気し、本体側吸込口１に設けたフィルター４を通過する間に汚染空気に含まれる粉塵や臭気が捕集され、浄化された新鮮な空気は空気流路５を通り送風ファン６により吹出口２を介して室内に吹き出されることとなる。
【００４４】
このように実施の形態１の発明によれば、前面に本体側吸込口１を有し、上面に吹出口２を設けた本体３と、この本体３の本体側吸込口１に設けたフィルター４と、このフィルター４を介して空気流路５が形成されるように本体３内に設けた送風ファン６と、本体側吸込口１の前面に設けられる前パネル７と、この前パネル７に開口する前面開口部８と、前パネル７より幅寸法が小さく、前面開口部８を覆うように隙間９を介して設けた前カバー１０と、この前カバー１０と前パネル７を設けた本体３との間に設けた前面吸気口１１および下部吸気口１２とを備え、下部吸気口１２は、前カバー１０の下端部付近に開口するとともに、前面吸気口１１より開口面積を大となるように形成しているので、本体３を基台１６を介し、卓上面または床面１７に設置した際、下部吸気口１２を中心として卓上面または床面１７が水平方向に吸気通路を形成して下部吸気口１２へのガイドとなるとともに、前パネル７および前カバー１０が上方向に吸気範囲を拡大することにより、灰皿１８に置かれたたばこ１９の煙などを下部吸気口１２から大風量で水平方向に効率良く吸い込むことができる。また、下部吸気口１２で吸引できなかった汚染空気も前面吸気口１１から吸い込むことができ、汚染源が卓上または床面１７にある場合に漏れなく吸い込むことができ、空気清浄効率を高めることができることとなる。
【００４５】
また、前パネル７を、中央が後方に突出した湾曲面１３で形成したので、前パネル７近傍へ誘引された汚染空気が湾曲面１３の形状に沿って進むこととなり、前面吸気口１１へ流れ込むようにスムーズに吸気することができ、吸い込み効果を高めることができるとともに、下部吸気口１２の開口面積が増加して吸気量をより多くすることができることとなる。
【００４６】
また、前カバー１０を、中央が前方に突出した円弧面１４で形成したので、前カバー１０近傍へ誘引された汚染空気が円弧面１４に沿い、前面吸気口１１へスムーズに流れ込むことができ、吸い込み効果を高めることができるとともに、下部吸気口１２の開口面積が増加して吸気量をより多くすることができることとなる。
【００４７】
また、前パネル７の横幅寸法を、本体３の横幅寸法と略同一寸法に形成し、前パネル７と本体３との間に本体３の本体側吸込口１に連通する一対の側面側吸気口１５を設けたので、前パネル７から横方向に逃げる汚染空気を側面側吸気口１５で吸い込むことができるとともに、本体３側方の汚染空気も側面側吸気口１５から吸い込むことで、吸い込み範囲を拡大することができることとなる。
【００４８】
（実施の形態２）
図７に示すように、下部吸気口１２Ａを開閉する開閉手段２０として、本体３Ａを支持する基台１６Ａに出没可能な移動板２１を設け、移動板２１を前方に出して下部吸気口１２Ａを開閉する構成とする。
【００４９】
上記構成において、下部吸気口１２Ａを開閉する開閉手段２０を設けたので、主開口部である下部吸気口１２Ａを開閉手段２０により閉鎖することで前面吸気口１１または側面側吸気口１５からの吸気量を増加することができるとともに、汚染源が下部吸気口１２Ａから離れている場合は、本体３Ａの前面または側面からの吸い込み風量が増加して空気清浄効率を高めることができることとなる。
【００５０】
また、開閉手段２０を本体３Ａを支持する基台１６Ａに出没可能な移動板２１を設け、移動板２１を前方に出して下部吸気口１２Ａを開閉する構成としたので、本体３Ａの下部を主な吸気範囲とするが、本体３Ａの前面および側面を主な吸気範囲とするとき、用途に応じて選択して本体３Ａの前面からの簡単な操作で下部吸気口１２Ａを開閉することができることとなる。
【００５１】
（実施の形態３）
図８に示すように、前カバー１０Ａの下部に設けた下部吸気口１２Ｂの吸い込み風の風向を可変できる回動ルーバー２２を設け、回動ルーバー２２を固定手段２３を介して段階的に角度調整し、仮固定を可能とした構成とする。
【００５２】
上記構成において、前カバー１０Ａの下部に吸い込み風の風向を可変できる回動ルーバー２２を設けたので、発生する汚染空気の種類や汚染物質の浮遊の状態に応じて下部吸気口１２Ｂの吸い込み角度を調節することができるとともに、汚染空気の吸い込み量を増やし、空気清浄効率を高めることができることとなる。
【００５３】
また、回動ルーバー２２を、固定手段２３を介して段階的に角度調整し、仮固定を可能としたので、段階的に回動角度を調整できることで、使用者の好みや吸い込み効果の高い位置で回動ルーバー２２を簡単に回動・固定ができ、簡単な操作で吸い込み効果を高めることができることとなる。
【００５４】
（実施の形態４）
図９〜図１１に示すように、本体３Ｂの基台１６Ｂに俯仰角度調節手段２４と２４Ａを設け、本体３Ｂの俯仰角度を調節可能に構成する。
【００５５】
上記構成において、本体３Ｂを仰角状態にするときには、基台１６Ｂの前方側に設けた俯仰角度調節手段２４を操作して基台１６Ｂの前方側を高くして本体３Ｂを図１０に示すように仰角方向にやや傾ける。
【００５６】
また、本体３Ｂを俯角状態にするときには、基台１６Ｂの後方側に設けた俯仰角度調節手段２４Ａを操作して基台１６Ｂの後方側を高くして本体３Ｂを図１１に示すように俯角方向にやや傾ける。
【００５７】
このように実施の形態４の発明によれば、本体３Ｂの基台１６Ｂに俯仰角度調節手段２４と２４Ａを設け、本体３Ｂの俯仰角度を調節可能としたので、本体３Ｂの設置角度が卓上面または床面１７Ａに対して９０°未満の小なる場合はスポット的な空気浄化が可能となり、また、設置角度が卓上面または床面１７Ａに対して略９０度より大きい場合は、より広範囲で空気清浄機能を発揮することができることとなる。
【産業上の利用可能性】
【００５８】
下部に風量大なる吸気口を設け、床面等に略平行に室内空気を吸気することを用いて、室内の床面にただよう冷気や悪臭成分を速やかに移動させて室内の環境を改善する空調機器、脱臭装置、サーキュレータなどの用途にも利用できる。
【図面の簡単な説明】
【００５９】
【図１】本発明の実施の形態１の空気清浄機の縦断面図
【図２】同空気清浄機の横断面図
【図３】同空気清浄機の上面図
【図４】同空気清浄機の正面図
【図５】同空気清浄機の下面図
【図６】同空気清浄機の設置状態を示す側面図
【図７】本発明の実施の形態２の空気清浄機の開閉手段を示す部分側面図
【図８】本発明の実施の形態３の空気清浄機の回動ルーバーを示す縦断面図
【図９】本発明の実施の形態４の空気清浄機の俯仰角度調節手段を示す破断図
【図１０】同空気清浄機の仰角に調節時の状態を示す破断図
【図１１】同空気清浄機の俯角に調節時の状態を示す破断図
【図１２】従来の空気清浄機の横断面図
【図１３】同空気清浄機の縦断面図
【符号の説明】
【００６０】
１      本体側吸込口
２      吹出口
３      本体
３Ａ    本体
３Ｂ    本体
４      フィルター
５      空気流路
６      送風ファン
７      前パネル
８      前面開口部
９      隙間
１０    前カバー
１０Ａ  前カバー
１１    前面吸気口
１２    下部吸気口
１２Ａ  下部吸気口
１３    湾曲面
１４    円弧面
１５    側面側吸気口
１６Ａ  基台
１６Ｂ  基台
２０    開閉手段
２１    移動板
２２    回動ルーバー
２３    固定手段
２４    俯仰角度調節手段
２４Ａ  俯仰角度調節手段
【図１】
2007021353.tif 000003
【図２】
2007021353.tif 000004
【図３】
2007021353.tif 000005
【図４】
2007021353.tif 000006
【図５】
2007021353.tif 000007
【図６】
2007021353.tif 000008
【図７】
2007021353.tif 000009
【図８】
2007021353.tif 000010
【図９】
2007021353.tif 000011
【図１０】
2007021353.tif 000012
【図１１】
2007021353.tif 000013
【図１２】
2007021353.tif 000014
【図１３】
2007021353.tif 000015